(57)【要約】      （修正有）【課題】移動局装置から送信される非周期的なサウンディングリファレンスシグナルを利用した、基地局装置によるチャネル推定の精度を向上することができる移動通信システム、移動局装置、および通信方法を提供する。【解決手段】基地局装置（１００）は、サウンディングリファレンスシグナルの周波数ホッピング周期を含む無線リソース制御信号を移動局装置ＭＳ１（２００）へ通知し、サウンディングリファレンスシグナルの送信指示を含む下りリンク制御情報フォーマットを前記移動局装置（２００）へ通知し、前記移動局装置（２００）は、前記無線リソース制御信号に従って、前記サウンディングリファレンスシグナルの周波数ホッピング周期を設定し、前記下りリンク制御情報フォーマットに従って、前記周波数ホッピング周期を基に算出した周波数ポジションでサウンディングリファレンスシグナルを前記基地局装置（１００）へ送信する。【選択図】図１
2012100213.tif 000002
【特許請求の範囲】
【請求項１】
基地局装置と移動局装置とが通信を行う移動通信システムであって、
前記基地局装置は、
サウンディングリファレンスシグナルの周波数ホッピング周期を含む無線リソース制御信号を前記移動局装置へ通知し、
サウンディングリファレンスシグナルの送信指示を含む下りリンク制御情報フォーマットを前記移動局装置へ通知し、
前記移動局装置は、
前記無線リソース制御信号に従って、前記サウンディングリファレンスシグナルの周波数ホッピング周期を設定し、
前記下りリンク制御情報フォーマットに従って、前記サウンディングリファレンスシグナルの送信指示が含まれている場合には、前記周波数ホッピング周期を基に算出されたサウンディングリファレンスシグナルの周波数ポジションでサウンディングリファレンスシグナルを前記基地局装置へ送信する
ことを特徴とする移動通信システム。
【請求項２】
前記移動局装置は、前記周波数ホッピング周期がサウンディングリファレンスシグナルを送信可能なサブフレームの周期よりも長い周期が設定された場合には、前記周波数ホッピング周期を基に周波数ポジションを算出し、前記周波数ホッピング周期がサウンディングリファレンスシグナルを送信可能なサブフレームの周期よりも短い周期が設定された場合には、前記サウンディングリファレンスシグナルを送信可能なサブフレームの周期を基に周波数ポジションを算出することを特徴とする請求項１に記載の移動通信システム。
【請求項３】
基地局装置と移動局装置とが通信を行う無線通信システムであって、
前記基地局装置は、
サウンディングリファレンスシグナルの周波数ホッピング周期とサウンディングリファレンスシグナルの送信指示が通知された場合に送信される非周期サウンディングリファレンスシグナルの送信周期およびサブフレームオフセットを含む無線リソース制御信号を前記移動局装置へ通知し、
サウンディングリファレンスシグナルの送信指示を含む下りリンク制御情報フォーマットを前記移動局装置へ通知し、
前記移動局装置は、
前記無線リソース制御信号に従って、前記サウンディングリファレンスシグナルの周波数ホッピング周期と非周期サウンディングリファレンスシグナルの周期およびサブフレームオフセットを設定し、
前記下りリンク制御情報フォーマットに従って、前記サウンディングリファレンスシグナルの送信指示が含まれている場合には、周波数ホッピング周期を基に算出された周波数ポジションでサウンディングリファレンスシグナルを前記基地局装置へ送信する
ことを特徴とする移動通信システム。
【請求項４】
前記移動局装置は、前記非周期サウンディングリファレンスシグナルの送信周期が前記周波数ホッピング周期より短い場合には、前記周波数ホッピング周期を基に、サウンディングリファレンスシグナルの周波数ポジションを算出し、前記非周期サウンディングリファレンスシグナルの送信周期が前記周波数ホッピング周期より長い場合には、前記非周期サウンディングリファレンスシグナルの送信周期を基に、サウンディングリファレンスシグナルの周波数ポジションを算出することを特徴とする請求項３に記載の移動通信システム。
【請求項５】
基地局装置と通信を行う移動局装置であって、
前記無線リソース制御信号に従って、前記サウンディングリファレンスシグナルの周波数ホッピング周期を設定する手段と、
前記下りリンク制御情報フォーマットに従って、前記サウンディングリファレンスシグナルの送信指示が含まれている場合には、前記周波数ホッピング周期を基に算出されたサウンディングリファレンスシグナルの周波数ポジションでサウンディングリファレンスシグナルを前記基地局装置へ送信する手段と、を有する
ことを特徴とする移動局装置。
【請求項６】
前記移動局装置は、前記周波数ホッピング周期がサウンディングリファレンスシグナルを送信可能なサブフレームの周期よりも長い周期が設定された場合には、前記周波数ホッピング周期を基に周波数ポジションを算出し、前記周波数ホッピング周期がサウンディングリファレンスシグナルを送信可能なサブフレームの周期よりも短い周期が設定された場合には、前記サウンディングリファレンスシグナルを送信可能なサブフレームの周期を基に周波数ポジションを算出する手段を有することを特徴とする請求項５に記載の移動局装置。
【請求項７】
基地局装置と通信を行う移動局装置であって、
前記無線リソース制御信号に従って、前記サウンディングリファレンスシグナルの周波数ホッピング周期と非周期サウンディングリファレンスシグナルの周期およびサブフレームオフセットを設定する手段と、
前記下りリンク制御情報フォーマットに従って、前記サウンディングリファレンスシグナルの送信指示が含まれている場合には、周波数ホッピング周期を基に算出された周波数ポジションにサウンディングリファレンスシグナルを配置し、前記基地局装置へ送信する手段と、を有する
ことを特徴とする移動局装置。
【請求項８】
前記移動局装置は、前記非周期サウンディングリファレンスシグナルの送信周期が前記周波数ホッピング周期より短い場合には、前記周波数ホッピング周期を基に、サウンディングリファレンスシグナルの周波数ポジションを算出し、前記非周期サウンディングリファレンスシグナルの送信周期が前記周波数ホッピング周期より長い場合には、前記非周期サウンディングリファレンスシグナルの送信周期を基に、サウンディングリファレンスシグナルの周波数ポジションを算出する手段を有することを特徴とする請求項７に記載の移動局装置。
【発明の詳細な説明】
【技術分野】
【０００１】
本発明は、基地局装置および移動局装置から構成される移動通信システムおよび通信方法に関する。
【背景技術】
【０００２】
３ＧＰＰ（3rd Generation Partnership Project）は、Ｗ−ＣＤＭＡ（Wideband-Code Division Multiple Access）と、ＧＳＭ（Global System for Mobile Communications）とを発展させたネットワークを基本した移動通信システムの仕様の検討・作成を行なうプロジェクトである。３ＧＰＰでは、Ｗ−ＣＤＭＡ方式が第３世代セルラー移動通信方式として標準化され、順次サービスが開始されている。また、通信速度をさらに高速化させたＨＳＤＰＡ（High-speed Downlink Packet Access）も標準化され、サービスが開始されている。３ＧＰＰでは、第３世代無線アクセス技術の進化（以下、「ＬＴＥ（Long Term Evolution）」または「ＥＵＴＲＡ（Evolved Universal Terrestrial Radio Access）」とも呼称する）、および、より広帯域な周波数帯域を利用して、さらに高速なデータの送受信を実現する移動通信システム（以下、「ＬＴＥ−Ａ（Long Term Evolution-Advanced）」または「Ａｄｖａｎｃｅｄ−ＥＵＴＲＡ」とも呼称する）に関する検討が進められている。
【０００３】
ＬＴＥにおける通信方式としては、互いに直交するサブキャリアを用いてユーザ多重化を行なうＯＦＤＭＡ（Orthogonal Frequency Division Multiple Access）方式、および、ＳＣ−ＦＤＭＡ（Single Carrier-Frequency Division Multiple Access）方式が検討されている。すなわち、下りリンクでは、マルチキャリア通信方式であるＯＦＤＭＡ方式が、上りリンクでは、シングルキャリア通信方式であるＳＣ−ＦＤＭＡ方式が提案されている。
【０００４】
一方、ＬＴＥ−Ａにおける通信方式としては、下りリンクでは、ＯＦＤＭＡ方式が、上りリンクでは、ＳＣ−ＦＤＭＡ方式に加えて、Ｃｌｕｓｔｅｒｅｄ−ＳＣ−ＦＤＭＡ（Clustered-Single Carrier-Frequency Division Multiple Access、DFT-s-OFDM with Spectrum Division Control、DFT-precoded OFDMとも呼称される）方式を導入することが検討されている。ここで、ＬＴＥおよびＬＴＥ−Ａにおいて、上りリンクの通信方式として提案されているＳＣ−ＦＤＭＡ方式、Ｃｌｕｓｔｅｒｅｄ−ＳＣ−ＦＤＭＡ方式は、シングルキャリア通信方式の特性上（シングルキャリア特性によって）、データ（情報）を送信する際のＰＡＰＲ（Peak to Average Power Ratio：ピーク電力対平均電力比、送信電力）を低く抑えることができるという特徴を持っている。
【０００５】
また、ＬＴＥ−Ａでは、一般的な移動通信システムで使用する周波数帯域は連続であるのに対し、連続および／または不連続な複数の周波数帯域（以下、「コンポーネントキャリア（ＣＣ：Component Carrier）」または「キャリアコンポーネント（ＣＣ：Carrier Component）」とも呼称する）を複合的に使用して、１つの広帯域な周波数帯域として運用する（周波数帯域集約：Carrier aggregationとも呼称される）ことが提案されている。また、基地局装置と移動局装置が、広帯域な周波数帯域をより柔軟に使用して通信するために、下りリンクの通信に使用される周波数帯域と上りリンクの通信に使用される周波数帯域を異なる周波数帯域幅とする（非対称周波数帯域集約：Asymmetric carrier aggregation）ことも提案されている（非特許文献１）。
【０００６】
図８は、従来の技術における周波数帯域集約された移動通信システムを説明する図である。図８に示されるような下りリンク（ＤＬ：Down Link）の通信に使用される周波数帯域と上りリンク（ＵＬ：Up Link）の通信に使用される周波数帯域を同じ帯域幅とすることは、対称周波数帯域集約（Symmetric carrier aggregation）とも呼称される。図８に示すように、基地局装置と移動局装置は、連続および／または不連続な周波数帯域である複数のコンポーネントキャリアを複合的に使用することによって、複数のコンポーネントキャリアによって構成される広帯域な周波数帯域で通信を行うことができる。
【０００７】
図８では、例として、１００ＭＨｚの帯域幅を持った下りリンクの通信に使用される周波数帯域（ＤＬシステム帯域（幅）でも良い）が、２０ＭＨｚの帯域幅を持った５つの下りリンクコンポーネントキャリア（ＤＣＣ１：Downlink Component Carrier１、ＤＣＣ２、ＤＣＣ３、ＤＣＣ４、ＤＣＣ５）によって構成されていることを示している。また、例として、１００ＭＨｚの帯域幅を持った上りリンクの通信に使用される周波数帯域（ＵＬシステム帯域（幅）でも良い）が、２０ＭＨｚの帯域幅を持った５つの上りリンクコンポーネントキャリア（ＵＣＣ１：Uplink Component Carrier１、ＵＣＣ２、ＵＣＣ３、ＵＣＣ４、ＵＣＣ５）によって構成されていることを示している。
【０００８】
図８において、下りリンクコンポーネントキャリアそれぞれには、物理下りリンク制御チャネル（以下、ＰＤＣＣＨ：Physical Downlink Control Channel）、物理下りリンク共用チャネル（以下、ＰＤＳＣＨ：Physical Downlink Shared Channel）等の下りリンクのチャネルが配置される。
【０００９】
基地局装置は、ＰＤＳＣＨを使用して送信される下りリンクトランスポートブロックを送信するための下りリンク制御情報（ＤＣＩ：Downlink Control Information）を、ＰＤＣＣＨを使用して移動局装置へ割り当て（スケジュールし）、ＰＤＳＣＨを使用して、下りリンクトランスポートブロックを移動局装置へ送信する。ここで、図８において、基地局装置は、同一サブフレームで、最大５つまでの下りリンクトランスポートブロック（ＰＤＳＣＨでも良い）を移動局装置へ送信することができる。
【００１０】
また、上りリンクコンポーネントキャリアそれぞれには、物理上りリンク制御チャネル（以下、ＰＵＣＣＨ：Physical Uplink Control Channel）、物理上りリンク共用チャネル（以下、ＰＵＳＣＨ：Physical Uplink Shared Channel）等の上りリンクのチャネルが配置される。
【００１１】
移動局装置は、ＰＵＣＣＨおよび／またはＰＵＳＣＨを使用して、下りリンクのチャネル状態を示すチャネル状態情報（ＣＳＩ：Channel Statement information）や、下りリンクトランスポートブロックに対するＨＡＲＱにおけるＡＣＫ／ＮＡＣＫ（肯定応答：Positive Acknowledgement／否定応答：Negative Acknowledgement）を示す情報や、スケジューリング要求（ＳＲ：Scheduling Request）などの上りリンク制御情報（ＵＣＩ：Uplink Control Information）を基地局装置へ送信する。ここで、図８において、移動局装置は、同一サブフレームで、最大５つまでの上りリンクトランスポートブロック（ＰＵＳＣＨでも良い）を基地局装置へ送信することができる。
【００１２】
また、ＬＴＥ−Ａでは、基地局装置が、上りリンクのチャネルを測定するために、移動局装置が、参照信号（以下、サウンディングリファレンスシグナル、ＳＲＳ：Sounding Reference Signalとも呼称する）を、上りリンクを使用して基地局装置へ送信することが検討されている。基地局装置は、移動局装置から送信されるＳＲＳに基づいて、移動局装置をスケジューリングし、例えば、ＰＵＳＣＨリソースの割り当てやＰＵＳＣＨに施すべき変調方式、符号化率の決定などを行う。
【００１３】
移動局装置によるＳＲＳの送信に関しては、基地局装置が、移動局装置に対して、周期的なＳＲＳ（以下、Ｐ−ＳＲＳ：Periodic SRSとも呼称する）の送信に加えて、非周期的なＳＲＳ（以下、Ａ−ＳＲＳ：Aperiodic SRS、Dynamic SRS、Scheduled SRSとも呼称する）の送信を指示（要求、トリガ）することが検討されている。例えば、基地局装置は、移動局装置に対して、上りリンクに対する下りリンク制御情報フォーマット（ＤＣＩフォーマット、アップリンクグラント：UL grant、アップリンクアサインメント：Uplink assignmentとも呼称する）を使用して、Ａ−ＳＲＳの送信を指示することが提案されている（非特許文献２）。
【００１４】
また、移動局装置が、１回の送信指示に対して１回の非周期的なＳＲＳ（Ａ−ＳＲＳ）の送信を行うこと（シングルショットＡ−ＳＲＳ送信）が提案されている（非特許文献３）。
【先行技術文献】
【非特許文献】
【００１５】
【非特許文献１】"Carrier aggregation in LTE-Advanced", 3GPP TSG RAN WG1 Meeting #53bis, R1-082468, June 30-July 4, 2008.
【非特許文献２】"Further Details on SRS for Release 10", 3GPP TSG RAN WG1 Meeting #60bis, R1-101746, April 12-16, 2010.
【非特許文献３】"Further Details on dynamic aperiodic SRS", 3GPP TSG RAN WG1 Meeting #62bis, R1-105582, October 11-15, 2010.
【発明の概要】
【発明が解決しようとする課題】
【００１６】
しかしながら、従来の技術では、移動局装置が、送信サブフレーム毎でＳＲＳを送信する際の送信回数（累積のＳＲＳサブフレーム数）は、移動局装置固有に設定される送信周期（サブフレーム周期、送信間隔）とサブフレームインデックス（ＳＲＳを送信するサブフレームの番号）を用いて、移動局装置によって算出されていた。
【００１７】
また、移動局装置が、ＳＲＳを送信する周波数ポジションは、ＳＲＳを送信する回数を基に移動局装置によって算出されていた。すなわち、移動局装置が、ＳＲＳを送信する際に周波数ホッピングを適用する場合、ＳＲＳを送信した次の送信タイミングでは、必ず異なる送信回数になるため、移動局装置が算出する周波数ポジションはＳＲＳ送信毎に異なっていた。ここで、移動局装置は、ＳＲＳを所定の回数まで送信することによって、所望の周波数帯域幅をカバーしたＳＲＳを送信することができる。
【００１８】
すなわち、移動局装置が、同一の周波数ポジションでＳＲＳを送信するためには、所定のサイクル（所定のＳＲＳサブフレームの期間）を要することになる。しかしながら、時間領域に適用するノイズフィルタの帯域はその所定のサイクルにおけるチャネルの時間変動を考慮すると十分に狭帯域化することができず、結果として、チャネル推定の精度が劣化し、変調符号化方式（MCS: Modulation and Coding Scheme）や複数の送信アンテナの位相制御を行うためのプレコーダ（Precoder）の推定精度を十分に高めることができないという問題が発生してしまう。
【００１９】
本発明は、このような事情に鑑みてなされたものであり、移動局装置から送信されるＡ−ＳＲＳを利用した基地局装置によるチャネル推定の精度を向上することができる移動通信システム、基地局装置、移動局装置、および通信方法を提供する。
【課題を解決するための手段】
【００２０】
（１）上記の目的を達成するために、本発明は、以下のような手段を講じた。すなわち、本発明の移動通信システムは、基地局装置と移動局装置から構成される移動通信システムであって、前記基地局装置は、サウンディングリファレンスシグナルの周波数ホッピング周期を含む無線リソース制御信号を前記移動局装置へ通知し、サウンディングリファレンスシグナルの送信指示を含む下りリンク制御情報フォーマットを前記移動局装置へ通知し、前記移動局装置は、前記無線リソース制御信号に従って、前記サウンディングリファレンスシグナルの周波数ホッピング周期を設定し、前記下りリンク制御情報フォーマットに従って、前記サウンディングリファレンスシグナルの送信指示が含まれている場合には、前記周波数ホッピング周期を基に算出されたサウンディングリファレンスシグナルの周波数ポジションでサウンディングリファレンスシグナルを前記基地局装置へ送信することを特徴としている。
【００２１】
（２）また、前記移動局装置は、前記周波数ホッピング周期がサウンディングリファレンスシグナルを送信可能なサブフレームの周期よりも長い周期が設定された場合には、前記周波数ホッピング周期を基に周波数ポジションを算出し、前記周波数ホッピング周期がサウンディングリファレンスシグナルを送信可能なサブフレームの周期よりも短い周期が設定された場合には、前記サウンディングリファレンスシグナルを送信可能なサブフレームの周期を基に周波数ポジションを算出することを特徴としている。
【００２２】
（３）また、基地局装置と移動局装置から構成される移動通信システムであって、前記基地局装置は、サウンディングリファレンスシグナルの周波数ホッピング周期とサウンディングリファレンスシグナルの送信指示が通知された場合送信される非周期サウンディングリファレンスシグナルの送信周期およびサブフレームオフセットを含む無線リソース制御信号を前記移動局装置へ通知し、サウンディングリファレンスシグナルの送信指示を含む下りリンク制御情報フォーマットを前記移動局装置へ通知し、前記移動局装置は、前記無線リソース制御信号に従って、前記サウンディングリファレンスシグナルの周波数ホッピング周期と非周期サウンディングリファレンスシグナルの周期およびサブフレームオフセットを設定し、前記下りリンク制御情報フォーマットに従って、前記サウンディングリファレンスシグナルの送信指示が含まれている場合には、周波数ホッピング周期を基に算出された周波数ポジションでサウンディングリファレンスシグナルを前記基地局装置へ送信することを特徴としている。
【００２３】
（４）また、前記移動局装置は、前記非周期サウンディングリファレンスシグナルの送信周期が前記周波数ホッピング周期より短い場合には、前記周波数ホッピング周期を基に、サウンディングリファレンスシグナルの周波数ポジションを算出し、前記非周期サウンディングリファレンスシグナルの送信周期が前記周波数ホッピング周期より長い場合には、前記非周期サウンディングリファレンスシグナルの送信周期を基に、サウンディングリファレンスシグナルの周波数ポジションを算出することを特徴としている。
【００２４】
（５）また、基地局装置と移動局装置から構成される移動通信システムにおける移動局装置であって、前記無線リソース制御信号に従って、前記サウンディングリファレンスシグナルの周波数ホッピング周期を設定する手段と、前記下りリンク制御情報フォーマットに従って、前記サウンディングリファレンスシグナルの送信指示が含まれている場合には、前記周波数ホッピング周期を基に算出されたサウンディングリファレンスシグナルの周波数ポジションでサウンディングリファレンスシグナルを前記基地局装置へ送信する手段と、を有することを特徴としている。
【００２５】
（６）また、前記移動局装置は、前記周波数ホッピング周期がサウンディングリファレンスシグナルを送信可能なサブフレームの周期よりも長い周期が設定された場合には、前記周波数ホッピング周期を基に周波数ポジションを算出し、前記周波数ホッピング周期がサウンディングリファレンスシグナルを送信可能なサブフレームの周期よりも短い周期が設定された場合には、前記サウンディングリファレンスシグナルを送信可能なサブフレームの周期を基に周波数ポジションを算出する手段を有することを特徴としている。
【００２６】
（７）また、基地局装置と移動局装置から構成される移動通信システムにおける移動局装置であって、前記無線リソース制御信号に従って、前記サウンディングリファレンスシグナルの周波数ホッピング周期と非周期サウンディングリファレンスシグナルの周期およびサブフレームオフセットを設定する手段と、前記下りリンク制御情報フォーマットに従って、前記サウンディングリファレンスシグナルの送信指示が含まれている場合には、周波数ホッピング周期を基に算出された周波数ポジションにサウンディングリファレンスシグナルを配置し、前記基地局装置へ送信する手段と、を有することを特徴としている。
【００２７】
（８）また、前記移動局装置は、前記非周期サウンディングリファレンスシグナルの送信周期が前記周波数ホッピング周期より短い場合には、前記周波数ホッピング周期を基に、サウンディングリファレンスシグナルの周波数ポジションを算出し、前記非周期サウンディングリファレンスシグナルの送信周期が前記周波数ホッピング周期より長い場合には、前記非周期サウンディングリファレンスシグナルの送信周期を基に、サウンディングリファレンスシグナルの周波数ポジションを算出する手段を有することを特徴としている。
【００２８】
このように、基地局装置は、移動局装置に対して周波数ホッピング周期を設定することで、Ａ−ＳＲＳのリソース割り当てをより柔軟に行うことができ、Ａ−ＳＲＳを利用した基地局装置によるチャネル推定の精度を向上することができる。
【発明の効果】
【００２９】
本発明によれば、移動局装置から送信されるＡ−ＳＲＳを利用した基地局装置によるチャネル推定の精度を向上することができる。
【図面の簡単な説明】
【００３０】
【図１】本発明の実施形態に係る物理チャネルの構成を概念的に示す図である。
【図２】本発明の実施形態に係る基地局装置の概略構成を示すブロック図である。
【図３】本発明の実施形態に係る移動局装置の概略構成を示すブロック図である。
【図４】移動局装置による周期的なＳＲＳ（Ｐ−ＳＲＳ、Ａ−ＳＲＳ）送信と非周期的なＳＲＳ（Ａ−ＳＲＳ）の送信の例を示す図である。
【図５】移動局装置が、シングルショットＡ−ＳＲＳを送信する際に、基地局装置によって周波数ホッピング周期が設定された場合の動作の一例を示す図である。
【図６】移動局装置が、マルチショットＡ−ＳＲＳを送信する際に、基地局装置によって周波数ホッピング周期が設定された場合の動作の一例を示す図である。
【図７】移動局装置が、シングルショットＡ−ＳＲＳを送信する際に、基地局装置によって周波数ホッピング周期とＡ−ＳＲＳ固有の送信可能サブフレームが設定された場合の動作の一例を示す図である。
【図８】従来の技術における周波数帯域集約の例を示す図である。
【発明を実施するための形態】
【００３１】
次に、本発明に係る実施形態について、図面を参照しながら説明する。図１は、本発明の実施形態におけるチャネルの一構成例を示す図である。下りリンクの物理チャネルは、物理下りリンク制御チャネル（ＰＤＣＣＨ：Physical Downlink Control Channel）、物理下りリンク共用チャネル（ＰＤＳＣＨ：Physical Downlink Shared Channel）によって構成される。上りリンクの物理チャネルは、物理上りリンク共用チャネル（ＰＵＳＣＨ：Physical Uplink Shared Channel）、物理上りリンク制御チャネル（ＰＵＣＣＨ：Physical Uplink Control Channel）によって構成される。
【００３２】
また、基地局装置は、下りリンク参照信号（ＤＲＳ:Downlink Reference Signal、下りリンクパイロット信号、下りリンクパイロットチャネルとも呼称する）を、移動局装置へ送信する。また、移動局装置は、上りリンク参照信号（ＵＲＳ:Uplink Reference Signal、上りリンクパイロット信号、上りリンクパイロットチャネルとも呼称する）を基地局装置へ送信する。ここで、上りリンク参照信号には、基地局装置が、主に、ＰＵＣＣＨおよび／またはＰＵＳＣＨを復調するために使用する復調参照信号（ＤＲＳ：Demodulation Reference Signal）が含まれる。また、上りリンク参照信号には、基地局装置が、主に、上りリンクのチャネル状態を推定するために使用するサウンディング参照信号（ＳＲＳ：Sounding Reference Signal）が含まれる。
【００３３】
ＰＤＣＣＨは、ＰＤＳＣＨのリソース割り当て、下りリンクデータに対するＨＡＲＱ処理情報、および、ＰＵＳＣＨのリソース割り当てなどを、移動局装置に通知（指定）するために使用されるチャネルである。ＰＤＣＣＨは、複数の制御チャネル要素（ＣＣＥ：Control Channel Element）から構成され、移動局装置は、ＣＣＥから構成されるＰＤＣＣＨを検出することによって、基地局装置からのＰＤＣＣＨを受信する。このＣＣＥは、周波数、時間領域において分散している複数のリソースエレメントグループ（ＲＥＧ：Resource Element Group、mini-CCEとも呼ばれる）によって構成される。ここで、リソースエレメントとは、１ＯＦＤＭシンボル（時間成分）、１サブキャリア（周波数成分）で構成される単位リソースである。
【００３４】
また、ＰＤＣＣＨによって送信される下りリンク制御情報（ＤＣＩ：Downlink Control Information）には、複数のフォーマットが定義される。以下、下りリンク制御情報のフォーマットを、ＤＣＩフォーマット（DCI format）とも呼称する。
【００３５】
例えば、下りリンクに対するＤＣＩフォーマットとしては、基地局装置が、ＰＤＳＣＨを１つの送信アンテナポート、または、複数の送信アンテナポートを使用して送信ダイバーシチ方式で送信する際に用いられるＤＣＩフォーマット１／１Ａが定義される。また、例えば、下りリンクに対するＤＣＩフォーマットとしては、基地局装置が、ＰＤＳＣＨを、ＭＩＭＯ（Multiple Input Multiple Output）を利用したＳＭ（空間多重：Spatial Multiplexing）で送信する際に用いられるＤＣＩフォーマット２が定義される。
【００３６】
基地局装置は、下りリンクに対するＤＣＩフォーマットにＡ−ＳＲＳの送信指示を含めて移動局装置へ送信することによって、移動局装置に対して、Ａ−ＳＲＳの送信を指示することができる。
【００３７】
また、例えば、上りリンクに対するＤＣＩフォーマットとしては、移動局装置が、ＰＵＳＣＨを１つの送信アンテナポートで送信する際に用いられるＤＣＩフォーマット０が定義される。また、例えば、上りリンクスケジューリングに対するＤＣＩフォーマットとしては、移動局装置が、ＰＵＳＣＨを、ＭＩＭＯを利用したＳＭで送信する際に用いられるＤＣＩフォーマット０Ａが用意される。
【００３８】
基地局装置は、上りリンクに対するＤＣＩフォーマットにＡ−ＳＲＳの送信指示を含めて移動局装置へ送信することによって、移動局装置に対して、Ａ−ＳＲＳの送信を指示することができる。  
【００３９】
また、例えば、ＤＣＩフォーマットとして、複数の移動局装置に対するグループスケジューリングに使用されるＤＣＩフォーマットが定義される。ここで、複数の移動局装置に対するグループスケジューリングに使用されるＤＣＩフォーマットは、複数の移動局装置によって受信される（検出される）必要があるために、全ての移動局装置がＰＤＣＣＨの検索（検出）を試みる共通検索領域（ＣＳＳ：Common Search Spaceとも呼称する）に配置される。一方、ある（特定の）移動局装置宛てのＰＤＣＣＨは、ある（特定の）移動局装置がＰＤＣＣＨの検索（検出）を試みる移動局装置固有検索領域（ＵＳＳ：User equipment specific Search Space、UE specific Search Spaceとも呼称する）に配置される。
【００４０】
基地局装置は、グループスケジューリングに使用されるＤＣＩフォーマットにＡ−ＳＲＳの送信指示を含めて移動局装置へ送信することによって、移動局装置に対して、Ａ−ＳＲＳの送信を指示することができる。
【００４１】
ここで、基地局装置は、ＤＣＩを基に生成した巡回冗長検査（ＣＲＣ：Cyclic Redundancy Check）符号を、ＲＮＴＩ（Radio Network Temporary Identity）でスクランブル（scramble）した系列をＤＣＩに付与して、移動局装置へ送信する。移動局装置は、巡回冗長検査符号がいずれのＲＮＴＩでスクランブルされているかに応じて、ＤＣＩの解釈を変更する。例えば、移動局装置は、ＤＣＩが、基地局装置から割り当てられたＣ−ＲＮＴＩ（Cell-Radio Network Temporary Identity）によって巡回冗長検査符号がスクランブルされていた場合には、そのＤＣＩを、自装置宛のＤＣＩだと判断する。
【００４２】
移動局装置は、ＰＤＣＣＨを検出して、下りリンクのリソース割り当てや、上りリンクのリソース割り当てや、その他の制御情報を取得する。ＰＤＣＣＨには、ＣＲＣ（巡回冗長検査）が付与されており、移動局装置は、ＰＤＣＣＨが構成される可能性のあるＣＣＥのセットのそれぞれに対してＣＲＣチェックを行い、ＣＲＣが成功したＰＤＣＣＨを、自装置宛のＰＤＣＣＨとして取得する。これは、ブラインドデコーディング（blind decoding）とも呼称され、移動局装置が、ブラインドデコーディングを行うＰＤＣＣＨが構成される可能性のあるＣＣＥのセットの範囲は、検索領域（Search Space）と呼称される。すなわち、移動局装置は、検索領域内のＣＣＥに対して、ブラインドデコーディングを行い、自装置宛のＰＤＣＣＨの検出を行う。
【００４３】
移動局装置は、自装置宛のＰＤＣＣＨに、ＰＤＳＣＨのリソース割り当てが含まれる場合、基地局装置からのＰＤＣＣＨによって指示されたリソース割り当てに応じて、ＰＤＳＣＨを使用して、下りリンク信号（下りリンクデータ（下りリンク共用チャネル（ＤＬ−ＳＣＨ）に対するトランスポートブロック）および／または下りリンク制御データ（下りリンク制御情報）および／または下りリンク参照信号（ＤＲＳ））を受信する。すなわち、このＰＤＣＣＨ（ＤＣＩフォーマット）は、下りリンクに対するリソース割り当てを行なう信号（以下、「下りリンク送信許可信号」、「下りリンクグラント」とも呼称する）とも言える。
【００４４】
また、移動局装置は、自装置宛のＰＤＣＣＨに、ＰＵＳＣＨのリソース割り当てが含まれる場合、基地局装置からのＰＤＣＣＨによって指示されたリソース割り当てに応じて、ＰＵＳＣＨを使用して、上りリンク信号（上りリンクデータ（上りリンク共用チャネル（ＵＬ−ＳＣＨ）に対するトランスポートブロック）および／または上りリンク制御データ（上りリンク制御情報）および／または上りリンク参照信号（ＵＲＳ））を送信する。すなわち、このＰＤＣＣＨ（ＤＣＩフォーマット）は、上りリンクに対するデータ送信を許可する信号（以下、「上りリンク送信許可信号」、「上りリンクグラント」とも呼称する）とも言える。
【００４５】
ＰＤＳＣＨは、下りリンクデータ（下りリンク共用チャネル（ＤＬ−ＳＣＨ）に対するトランスポートブロック）またはページング情報（ページングチャネル：ＰＣＨ）を送信するために使用されるチャネルである。ここで、下りリンクデータとは、例えば、ユーザーデータを示しており、ＤＬ−ＳＣＨは、トランスポートチャネルである。
【００４６】
ＰＵＳＣＨは、主に、上りリンクデータ（上りリンク共用チャネル（ＵＬ−ＳＣＨ）に対するトランスポートブロック）を送信するために使用されるチャネルである。移動局装置は、基地局装置から送信されたＰＤＣＣＨによって割り当てられたＰＵＳＣＨを使用して、上りリンクトランスポートブロック（上りリンク共用チャネル（ＵＬ−ＳＣＨ）に対するトランスポートブロック）を基地局装置へ送信する。また、基地局装置が、移動局装置をスケジューリングした場合には、上りリンク制御情報（ＵＣＩ）もＰＵＳＣＨを使用して送信される。ここで、上りリンクデータとは、例えば、ユーザーデータを示しており、ＵＬ−ＳＣＨは、トランスポートチャネルである。
【００４７】
ここで、上りリンクデータ（ＵＬ−ＳＣＨ）および下りリンクデータ（ＤＬ−ＳＣＨ）には、基地局装置と移動局装置の間でやり取りされる無線資源制御信号（以下、「ＲＲＣシグナリング：Radio Resource Control Signaling」と呼称する）が含まれていても良い。また、上りリンクデータ（ＵＬ−ＳＣＨ）および下りリンクデータ（ＤＬ−ＳＣＨ）には、基地局装置と移動局装置の間でやり取りされるＭＡＣ（Medium Access Control）コントロールエレメントが含まれていても良い。
【００４８】
基地局装置と移動局装置は、ＲＲＣシグナリングを上位層（無線リソース制御（Radio Resource Control）層）において送受信する。また、基地局装置と移動局装置は、ＭＡＣコントロールエレメントを上位層（媒体アクセス制御（ＭＡＣ：Medium Access Control）層）において送受信する。
【００４９】
ＰＵＣＣＨは、上りリンク制御情報（ＵＣＩ）を送信するために使用されるチャネルである。ここで、上りリンク制御情報には、チャネル状態情報（ＣＳＩ）や、チャネル品質識別子（ＣＱＩ）や、プレコーディングマトリックス識別子（ＰＭＩ）や、ランク識別子（ＲＩ）が含まれる。また、上りリンク制御情報には、下りリンクトランスポートブロックに対するＨＡＲＱにおけるＡＣＫ／ＮＡＣＫを示す情報が含まれる。また、上りリンク制御情報には、移動局装置が上りリンクデータを送信するためのリソースの割り当てを要求する（ＵＬ−ＳＣＨでの送信を要求する）スケジューリング要求が含まれる。
【００５０】
［基地局装置の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。
【００５１】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００５２】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００５３】
送信データ変調部１０２は、送信データをＯＦＤＭ方式に変調する。送信データ変調部１０２は、データ制御部１０１から入力されたデータに対して、スケジューリング部１０４からのスケジューリング情報や、各ＰＲＢに対応する変調方式および符号化方式に基づいて、データ変調、符号化、入力信号の直列／並列変換、ＩＦＦＴ（Inverse Fast Fourier Transform：逆高速フーリエ変換）処理、ＣＰ（Cyclic Prefix）挿入、並びに、フィルタリングなどの信号処理を行ない、送信データを生成して、無線部１０３へ出力する。ここで、スケジューリング情報には、下りリンク物理リソースブロックＰＲＢ（Physical Resource Block）割り当て情報、例えば、周波数、時間から構成される物理リソースブロック位置情報が含まれ、各ＰＲＢに対応する変調方式および符号化方式には、例えば、変調方式：１６ＱＡＭ、符号化率：２／３コーディングレートなどの情報が含まれる。
【００５４】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００５５】
スケジューリング部１０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００５６】
スケジューリング部１０４は、下りリンクのスケジューリングでは、移動局装置２００から受信した上りリンク信号（ＣＳＩや、下りリンクトランスポートブロックに対するＡＣＫ／ＮＡＣＫを示す情報や、スケジューリング要求や、参照信号など）や、各移動局装置の使用可能なＰＲＢの情報や、バッファ状況や、上位層１０８から入力されたスケジューリング情報などに基づいて、各データを変調するための下りリンクのトランスポートフォーマット（送信形態、すなわち、物理リソースブロックの割り当ておよび変調方式および符号化方式など）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００５７】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００５８】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００５９】
チャネル推定部１０５は、上りリンクデータの復調のために、復調参照信号（ＤＲＳ：Demodulation Reference Signal）から上りリンクのチャネル状態を推定し、その推定結果を受信データ復調部１０６に出力する。また、上りリンクのスケジューリングを行なうために、サウンディング参照信号（ＳＲＳ）から上りリンクのチャネル状態を推定し、その推定結果をスケジューリング部１０４に出力する。
【００６０】
受信データ復調部１０６は、ＯＦＤＭ方式、および／または、ＳＣ−ＦＤＭＡ方式に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００６１】
データ抽出部１０７は、受信データ復調部１０６から入力されたデータに対して、正誤を確認するとともに、確認結果（ＡＣＫまたはＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から送信されたＣＳＩ、ＣＱＩ、ＰＭＩ、ＲＩや、下りリンクトランスポートブロックに対するＡＣＫ／ＮＡＣＫを示す情報や、スケジューリング要求などが含まれている。
【００６２】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００６３】
上位層１０８は、無線リソース制御部１１０（制御部とも言う。）を有している。また、無線リソース制御部１１０は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行なっている。上位層１０８は、別の基地局装置への情報および上位ノードへの情報の授受を行なう。
【００６４】
［移動局装置の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。
【００６５】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００６６】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００６７】
送信データ変調部２０２は、送信データをＯＦＤＭ方式、および／または、ＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００６８】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００６９】
スケジューリング部２０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００７０】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００７１】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００７２】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたＣＳＩや、データ抽出部２０７から入力されたＣＲＣチェックの確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００７３】
チャネル推定部２０５は、下りリンクデータの復調のために、復調参照信号から下りリンクのチャネル状態を推定し、その推定結果を受信データ復調部２０６に出力する。また、チャネル推定部２０５は、基地局装置１００に下りリンクのチャネル状態（無線伝搬路状態、ＣＳＩ）の推定結果を通知するために、下りリンク参照信号から下りリンクのチャネル状態を推定し、この推定結果を、例えば、ＣＳＩとして、スケジューリング部２０４に出力する。
【００７４】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００７５】
データ抽出部２０７は、受信データ復調部２０６から入力されたデータに対して、ＣＲＣチェックを行ない、正誤を確認するとともに、確認結果（ＡＣＫまたはＮＡＣＫを示す情報）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００７６】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００７７】
上位層２０８は、無線リソース制御部２１０（制御部とも言う）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【００７８】
［サウンディングリファレンスシグナルの送信方法］
図４は、移動局装置による周期的なＳＲＳ（Ｐ−ＳＲＳ、Ａ−ＳＲＳ）送信と非周期的なＳＲＳ（Ａ−ＳＲＳ）の送信の例を示す図である。図４において、横軸はサブフレーム（時間）を示している。また、縦軸は周波数（周波数帯域）を示している。ここで、図４は、例として、移動局装置による１つの上りリンクコンポーネントキャリア内におけるＳＲＳの送信を示している。
【００７９】
図４において、基地局装置は、移動局装置に対して、周期的なＳＲＳ（Ｐ−ＳＲＳ：Periodic SRS）の送信を指示することができる。例えば、基地局装置は、移動局装置が、Ｐ−ＳＲＳを送信する際のインターバル（送信周期）を示す情報を、移動局装置毎に送信するＲＲＣシグナリングに含めて移動局装置へ送信することによって、移動局装置に対して、Ｐ−ＳＲＳの送信を指示することができる。
【００８０】
基地局装置によってＰ−ＳＲＳの送信が指示された移動局装置は、周期的にＰ−ＳＲＳを基地局装置へ送信する。例えば、移動局装置は、基地局装置によって設定されたインターバルに従って、Ｐ−ＳＲＳを基地局装置へ送信する。
【００８１】
また、図４において、基地局装置は、移動局装置に対して、非周期的なＡ−ＳＲＳの送信を指示することができる。例えば、基地局装置は、上記で示したように、ＤＣＩフォーマットに、Ａ−ＳＲＳの送信指示を含めて移動局装置へ送信することによって、移動局装置に対して、Ａ−ＳＲＳの送信を指示することができる。
【００８２】
例えば、基地局装置は、明示的なＡ−ＳＲＳの送信指示（例えば、１ビットの情報フィールドで表されるＡ−ＳＲＳの送信指示）をＤＣＩフォーマットに含めて移動局装置へ送信することによって、移動局装置に対して、Ａ−ＳＲＳの送信を指示することができる。
【００８３】
また、例えば、基地局装置は、ＤＣＩフォーマットに含まれるある特定の情報（情報フィールド）をある特定の値にセットすることによって、移動局装置に対して、Ａ−ＳＲＳの送信を指示することができる。すなわち、基地局装置は、ＤＣＩフォーマットにコードポイントをセットすることによって、移動局装置に対して、Ａ−ＳＲＳの送信を指示することができる。
【００８４】
例えば、基地局装置は、ＤＣＩフォーマットに含まれる情報（他のＤＣＩフォーマットとの識別に使用される情報（Flag for format differentiation）、ホッピングを伴う送信を指示する情報（Hopping flag）、ＰＵＳＣＨに対するリソース割り当て情報（Resource block assignment）、変調方式や符号化率、再送用のパラメータを示す情報（Modulation and Coding Scheme and Redundancy version）、送信データが新データかどうかを識別するための情報（New data indicator）、スケジュールされたＰＵＳＣＨに対するＴＰＣコマンド（TPC command for scheduled PUSCH）情報、復調参照信号に施されるサイクリックシフトを示す情報（Cyclic shift for DM RS）、ＣＱＩの送信要求情報（CQI request）、パディングビット（Padding bit））のいずれかの情報をある特定の値にセットすることによって、移動局装置に対して、Ａ−ＳＲＳの送信を指示することができる。
【００８５】
また、基地局装置は、Ａ−ＳＲＳの送信指示に使用しなかった残りの情報（情報フィールド）に、後述するＡ−ＳＲＳパラメータをセットして、移動局装置へ送信することができる。
【００８６】
ここで、ＤＣＩフォーマットＢに含まれるどの情報（どの情報フィールド）をどの値にセットした際に、Ａ−ＳＲＳの送信指示を示すのかは、仕様等によって事前に定義され、基地局装置と移動局装置の間で、既知とすることができる。
【００８７】
また、図４において、基地局装置は、移動局装置が、ＳＲＳ（Ｐ−ＳＲＳ、Ａ−ＳＲＳ）を送信するサブフレームを、セル固有（cell specific）および／または移動局装置固有（UE specific）に、移動局装置へ設定することができる。ここで、基地局装置によって設定される、移動局装置が、Ｐ−ＳＲＳおよび／またはＡ−ＳＲＳを送信するサブフレームをＳＲＳサブフレームとも記載する。
【００８８】
例えば、基地局装置は、ＳＲＳサブフレームを、報知情報（報知チャネル）を使用して、セル固有に、移動局装置へ設定することができる。また、基地局装置は、ＳＲＳサブフレームを、ＲＲＣシグナリングを使用して、移動局装置固有に、移動局装置へ設定することができる。例えば、基地局装置は、ＳＲＳサブフレームを、基準となるあるサブフレームからのオフセット値と周期によって設定することができる。
【００８９】
移動局装置は、基地局装置によって設定されたＳＲＳサブフレームで、Ｐ−ＳＲＳを送信する。例えば、移動局装置は、基地局装置によって設定されたインターバルに従って、ＳＲＳサブフレームで、周期的にＰ−ＳＲＳを送信する。
【００９０】
また、移動局装置は、基地局装置によって設定されたＳＲＳサブフレームで、Ａ−ＳＲＳを送信する。例えば、移動局装置は、基地局装置によってＡ−ＳＲＳの送信指示が含まれるＤＣＩフォーマットが通知されたサブフレームの後の、最初のＳＲＳサブフレームで、Ａ−ＳＲＳを送信する。すなわち、移動局装置は、基地局装置からＡ−ＳＲＳの送信指示が含まれるＤＣＩフォーマットを検出した後の、ＳＲＳを送信可能な最初のサブフレームで、Ａ−ＳＲＳを送信する。
【００９１】
すなわち、移動局装置は、ある特定の期間の中で、少なくとも１つのＡ−ＳＲＳの送信指示を含むＤＣＩフォーマットを受信した場合には、ＳＲＳを送信可能な最初のサブフレームで、Ａ−ＳＲＳを送信する。例えば、ＳＲＳサブフレームをサブフレームｎとすると、ある特定の期間は、ｎ−ｋ−ａ＿Ｐｅｒｉｏｄ＋１からｎ−ｋによって表される。ここで、ａ＿Ｐｅｒｉｏｄは、基地局装置によって設定されるＳＲＳサブフレーム周期を示し、ｋは、所定の値（例えば、ｋ＝４）を示す。
【００９２】
また、基地局装置は、移動局装置が、Ｐ−ＳＲＳを送信する際に使用するパラメータ（Ｐ−ＳＲＳパラメータ）を、移動局装置に対して設定することができる。例えば、基地局装置は、Ｐ−ＳＲＳパラメータを、ＲＲＣシグナリングを使用して、移動局装置へ設定することができる。また、例えば、基地局装置は、移動局装置が、Ｐ−ＳＲＳパラメータを、ＤＣＩフォーマットを使用して、移動局装置へ設定することができる。
【００９３】
ここで、Ｐ−ＳＲＳパラメータには、移動局装置がＰ−ＳＲＳを送信する際のインターバル（送信周期）が含まれる。また、Ｐ−ＳＲＳパラメータには、移動局装置がＰ−ＳＲＳを送信するための送信帯域幅（ＳＲＳ送信帯域幅）が含まれる。また、Ｐ−ＳＲＳパラメータには、移動局装置間または信号間の直交性を維持するために使用されるサイクリックシフト（ＣＳ：Cyclic Shit）が含まれる。また、Ｐ−ＳＲＳパラメータには、Ｐ−ＳＲＳを配置する周波数位置を示す周波数割り当て位置を示す情報が含まれる。また、Ｐ−ＳＲＳパラメータには、Ｐ−ＳＲＳの送信を満了するための送信回数または送信停止時間が含まれる。また、Ｐ−ＳＲＳパラメータには、Ｐ−ＳＲＳを送信するアンテナポート（アンテナインデックス）が含まれる。また、Ｐ−ＳＲＳパラメータには、ＭＩＭＯのように複数のアンテナを同時に使用してＰ−ＳＲＳの送信を行うか否かを示す複数アンテナ同時送信フラグが含まれる。また、Ｐ−ＳＲＳパラメータには、Ｐ−ＳＲＳに対するＴＰＣコマンド（送信電力制御情報）が含まれる。また、Ｐ−ＳＲＳパラメータには、Ｐ−ＳＲＳの周波数ホッピングの可否と周波数ホッピングの帯域幅を決定するホッピング帯域幅が含まれる。また、Ｐ−ＳＲＳパラメータには、送信アンテナポート数が含まれる。
【００９４】
また、基地局装置は、移動局装置が、Ａ−ＳＲＳを送信する際に使用するパラメータ（Ａ−ＳＲＳパラメータ）を、移動局装置に対して設定することができる。例えば、基地局装置は、Ａ−ＳＲＳパラメータを、ＲＲＣシグナリングを使用して、移動局装置へ設定することができる。また、例えば、基地局装置は、移動局装置が、Ａ−ＳＲＳパラメータを、ＤＣＩフォーマットを使用して、移動局装置へ割り当てることができる。また、上記で説明したように、基地局装置は、ＤＣＩフォーマットにコードポイントをセットすることによって、Ａ−ＳＲＳパラメータを、移動局装置へ割り当てることができる。
【００９５】
ここで、Ａ−ＳＲＳパラメータには、移動局装置がＡ−ＳＲＳを送信する際の送信帯域幅（ＳＲＳ送信帯域幅）が含まれる。また、Ａ−ＳＲＳパラメータには、移動局装置間または信号間の直交性を維持するために使用されるサイクリックシフト（ＣＳ：Cyclic Shit）が含まれる。また、Ａ−ＳＲＳパラメータには、Ａ−ＳＲＳを配置する周波数位置を示す周波数割り当て位置を示す情報が含まれる。また、Ａ−ＳＲＳパラメータには、Ａ−ＳＲＳの送信を満了するための送信回数または送信停止時間が含まれる。また、Ａ−ＳＲＳパラメータには、Ａ−ＳＲＳを送信するアンテナポート（アンテナインデックス）が含まれる。また、Ａ−ＳＲＳパラメータには、ＭＩＭＯのように複数のアンテナを同時に使用してＡ−ＳＲＳの送信を行うか否かを示す複数アンテナ同時送信フラグが含まれる。また、Ａ−ＳＲＳパラメータには、Ａ−ＳＲＳに対するＴＰＣコマンド（送信電力制御情報）が含まれる。また、Ａ−ＳＲＳパラメータには、Ａ−ＳＲＳの周波数ホッピングの可否と周波数ホッピングの帯域幅を決定するホッピング帯域幅が含まれる。また、Ａ−ＳＲＳパラメータには、送信アンテナポート数が含まれる。
【００９６】
例えば、基地局装置は、移動局装置に対して、上りリンクコンポーネント毎にＰ−ＳＲＳパラメータ、Ａ−ＳＲＳパラメータをそれぞれ独立に設定し、移動局装置は、基地局装置によって設定されたパラメータに従って、Ｐ−ＳＲＳ、Ａ−ＳＲＳを基地局装置へ送信する。
【００９７】
ここで、移動局装置が、上りリンク信号をマッピングするＳＣ−ＦＤＭＡシンボルそれぞれは、異なる用途に使用される。例えば、移動局装置が、上りリンク信号を７つのＳＣ−ＦＤＭＡシンボル（０番から６番の７つのＳＣ−ＦＤＭＡシンボル）にマッピングして基地局装置へ送信する場合、ＳＲＳ（Ｐ−ＳＲＳ、Ａ−ＳＲＳ）は、６番目のＳＣ−ＦＤＭＡシンボルにマップされる。
【００９８】
以下、簡単のために、移動局装置は、サブフレームにおいてＳＲＳ（Ｐ−ＳＲＳ、Ａ−ＳＲＳ）を基地局措置へ送信するとも記載するが、ＳＲＳ（Ｐ−ＳＲＳ、Ａ−ＳＲＳ）は、サブフレーム内の、あるＳＣ−ＦＤＭＡシンボルにマッピングされて基地局装置へ送信されても良い。また、以下に記載するような、Ｐ−ＳＲＳの送信とＡ−ＳＲＳの送信が同時に生じる（Ｐ−ＳＲＳの送信とＡ−ＳＲＳの送信が衝突する）ことは、Ｐ−ＳＲＳの送信とＡ−ＳＲＳの送信が、シンボルレベルで、同時に生じる（衝突する）ことを示していても良い。
【００９９】
図４では、基地局装置が、ＳＲＳサブフレームとして、サブフレームｎ−２、サブフレームｎ、サブフレームｎ＋２、サブフレームｎ＋４、サブフレームｎ＋６、サブフレームｎ＋８、サブフレームｎ＋１０を移動局装置へ設定していることを示している。移動局装置は、基地局装置によって設定されたＳＲＳサブフレームで、ＳＲＳ（Ｐ−ＳＲＳ、Ａ−ＳＲＳ）を基地局装置へ送信する。
【０１００】
また、移動局装置は、基地局装置からＡ−ＳＲＳの送信指示を含むＤＣＩフォーマットが通知されたサブフレームの所定のサブフレーム以降（例えば、４サブフレーム以降のサブフレーム）で、Ａ−ＳＲＳを送信する。すなわち、移動局装置は、基地局装置からＡ−ＳＲＳの送信指示を含むＤＣＩフォーマットが通知されたサブフレームの後の、最初のＳＲＳサブフレーム（ＳＲＳを送信可能なサブフレーム）で、Ａ−ＳＲＳを送信する。
【０１０１】
図４では、移動局装置が、基地局装置からの指示に従って、Ｐ−ＳＲＳ（網線で示される）を、サブフレームｎ−２、サブフレームｎ＋２、サブフレームｎ＋４、サブフレームｎ＋６、サブフレームｎ＋１０で基地局装置へ送信していることを示している。すなわち、移動局装置は、基地局装置によって設定されたインターバル（２サブフレーム毎、２ｍｓ毎）に従って、周期的に（２サブフレーム毎に、２ｍｓ毎に）Ｐ−ＳＲＳを基地局装置へ送信する。
【０１０２】
ここで、移動局装置は、サブフレームｎ＋４、サブフレームｎ＋１０で、基地局装置によって設定された送信帯域幅（ＳＲＳ送信帯域幅）に従って、帯域Ｃの一部である（帯域Ｃを分割した帯域の一部である）帯域Ｃ−１（周波数ポジション）でＰ−ＳＲＳを基地局装置へ送信する。
【０１０３】
また、移動局装置は、サブフレームｎ−２、サブフレームｎ＋２、サブフレームｎ＋６、サブフレームｎ＋１０で、基地局装置によって設定された送信帯域幅（ＳＲＳ送信帯域幅）に従って、帯域Ｃの一部である（帯域Ｃを分割した帯域の一部である）帯域Ｃ−２（周波数ポジション）でＰ−ＳＲＳを基地局装置へ送信する。
【０１０４】
ここで、移動局装置が、ある帯域（帯域Ｃ−１、帯域Ｃ−２）で、Ｐ−ＳＲＳを送信する送信する順番は、予め定義される（基地局装置によって設定されても良い）。また、基地局装置は、Ｐ−ＳＲＳを１回だけ送信するように、移動局装置へ設定することができる。
【０１０５】
また、図４では、移動局装置が、基地局装置からの指示に従って、Ａ−ＳＲＳ（斜線で示される）を、サブフレームｎ、サブフレームｎ＋８で基地局装置へ送信していることを示している。
【０１０６】
ここで、移動局装置は、サブフレームｎで、基地局装置によって設定された送信帯域幅（ＳＲＳ送信）帯域幅）に従って、帯域Ａ（周波数ポジション）でＡ−ＳＲＳを基地局装置へ送信する。また、移動局装置は、サブフレームｎ＋８で、基地局装置によって設定された送信帯域幅（ＳＲＳ送信）帯域幅）に従って、帯域Ｂ（周波数ポジション）でＡ−ＳＲＳを基地局装置へ送信する。
【０１０７】
また、図４において、サブフレームｎ、サブフレームｎ＋８は、Ｐ−ＳＲＳの送信とＡ−ＳＲＳの送信が同時に生じているサブフレームを示している。図４において、移動局装置は、Ｐ−ＳＲＳの送信とＡ−ＳＲＳの送信が同時に生じた場合には、Ｐ−ＳＲＳを送信せずに（ドロップして）、Ａ−ＳＲＳを基地局装置へ送信する。
【０１０８】
ここで、移動局装置は、Ｐ−ＳＲＳの送信とＡ−ＳＲＳの送信が同時に生じた場合には、Ｐ−ＳＲＳとＡ−ＳＲＳを多重して共に、基地局装置へ送信しても良い。例えば、移動局装置は、Ｐ−ＳＲＳの送信とＡ−ＳＲＳの送信が同時に生じた場合には、Ｐ−ＳＲＳとＡ−ＳＲＳをコード多重して共に、基地局装置へ送信することができる。
【０１０９】
ここで、図４では、例として、移動局装置が、基地局装置によって設定されたＳＲＳサブフレーム全てにおいて、ＳＲＳ（Ｐ−ＳＲＳ、Ａ−ＳＲＳ）を送信しているが、移動局装置は、基地局装置によってＳＲＳの送信が指示されていない場合には、ＳＲＳを送信しない。すなわち、移動局装置は、基地局装置によって設定された全てのＳＲＳサブフレームで、ＳＲＳを送信しなくても良い。
【０１１０】
（第１の実施形態）
次に、基地局装置１００および移動局装置２００を用いた移動通信システムにおける第１の実施形態を説明する。第１の実施形態では、基地局装置は、Ａ−ＳＲＳの周波数ホッピング周期を含む無線リソース制御信号を移動局装置へ通知し、Ａ−ＳＲＳの送信指示を含んだＤＣＩフォーマットを移動局装置へ通知する。
【０１１１】
また、移動局装置は、無線リソース制御信号に従ってＡ−ＳＲＳの周波数ホッピング周期を設定し、ＤＣＩフォーマットにＡ−ＳＲＳの送信指示が含まれている場合には、周波数ホッピング周期を基に算出されたＡ−ＳＲＳの周波数ポジションでＡ−ＳＲＳを送信する。
【０１１２】
図５は、移動局装置が、シングルショットＡ−ＳＲＳを送信する際に、基地局装置によって周波数ホッピング周期（周波数ホッピング用の送信周期）が設定された場合の動作の一例を示す図である。図５において、横軸はサブフレーム（時間）、縦軸は周波数（ホッピング帯域幅（リソースブロック数））を示している。
【０１１３】
ここで、例えば、１サブフレームの時間長は１ｍｓであり、１０サブフレーム（１０ｍｓ）で１フレームとなる。また、１サブフレームは、２スロットによって構成され、１フレームは２０スロットで構成される。また、１フレームに含まれるサブフレームには、０から９までの番号（インデックス）が付与され、１フレームに含まれるスロットには、０から１９までの番号が付与される。
【０１１４】
さらに、図５において、基地局装置から移動局装置が通知される第１の送信指示、第２の送信指示、第３の送信指示、第４の送信指示、第５の送信指示、第６の送信指示は、Ａ−ＳＲＳの送信指示を示している。また、移動局装置は、基地局装置からＡ−ＳＲＳの送信指示を含むＤＣＩフォーマットを受信した後の、最初のＳＲＳ送信可能サブフレームでＡ−ＳＲＳを基地局装置へ送信する。ここで、図５において、下りリンクサブフレームと上りリンクサブフレームのインデックスは同じタイミングで送信されるものとみなす。
【０１１５】
図５において、ドットで示される領域は、基地局装置によって設定されたＡ−ＳＲＳ送信に対する候補リソースを概念的に示している。また、同様に、斜線で示される領域は、基地局装置によって設定されたＡ−ＳＲＳ送信に対する候補リソースを概念的に示している。図５において、移動局装置は、斜線で示されるリソースを使用して、Ａ−ＳＲＳを基地局装置へ送信している。
【０１１６】
例えば、基地局装置は、移動局装置が４回の周波数ホッピングを適用してＡ−ＳＲＳを送信することによって、ホッピング帯域幅（全ての周波数帯域幅）をカバーできるように設定することができる。
【０１１７】
図５において、基地局装置は、周波数ホッピング周期（以下、ＴＡｐＳＲＳ−ｈｏｐとも記載する）を、移動局装置に対して設定することができる。また、基地局装置は、ＳＲＳ送信可能サブフレームの周期（以下、サブフレーム周期Ｔとも記載する）とサブフレームオフセットを、移動局装置に対して設定することができる。
【０１１８】
ここで、周波数ホッピング周期とは、移動局装置が、周波数ホッピングを適用してＡ−ＳＲＳを送信する場合に、周波数ホッピングを行うまで間隔（周期）を示している。また、上記で示した通り、ＳＲＳ送信可能サブフレームの周期は、移動局装置がＡ−ＳＲＳを送信可能なサブフレーム（候補リソース）を示している。さらに、サブフレームオフセットは、サブフレーム番号（サブフレームインデックス）によって定義することができる。
【０１１９】
例えば、基地局装置は、周波数ホッピング周期を、ＲＲＣシグナリングを使用して設定することができる。また、上記で示したように、基地局装置は、ＳＲＳ送信可能サブフレームを、報知情報を使用して、セル固有に設定することができる。また、基地局装置は、ＳＲＳ送信可能サブフレームを、ＲＲＣシグナリングを使用して、移動局装置固有に設定することができる。さらに、基地局装置は、サブフレームオフセットを、ＲＲＣシグナリングを使用して設定することができる。
【０１２０】
移動局装置は、基地局装置によって設定された周波数ホッピング周期とＳＲＳ送信可能サブフレームの周期とサブフレームオフセットに基づいて、Ａ−ＳＲＳを基地局装置へ送信する。
【０１２１】
ここで、基地局装置は、周波数ホッピング周期を設定することによって、移動局装置に対して、どの周波数ポジションでＡ−ＳＲＳを送信するのかを設定することができる。より具体的には、例えば、移動局装置は、基地局装置によって設定された周波数ホッピング周期をパラメータとして、下記の数式１に基づいて、Ａ−ＳＲＳ送信に対する周波数ポジションを算出（決定）することができる。
【０１２２】
ここで、移動局装置が、Ａ−ＳＲＳ送信に対する周波数ポジションは、数式１に基づいて算出されるｎＳＲＳを含む関数によって、移動局装置によって算出されても良い。すなわち、移動局装置は、数式１によって算出したｎＳＲＳを１つのパラメータとして、さらに、別の数式を使用することによって、Ａ−ＳＲＳ送信に対する周波数ポジションを算出しても良い。すなわち、移動局装置は、Ａ−ＳＲＳ送信サブフレームに対する累積の周波数ホッピング回数を、数式１を用いて算出することができる。
【０１２３】
【数１】
2012100213.tif 000003
【０１２４】
ここで、ｎｆは、Ａ−ＳＲＳを送信するフレーム番号（フレームインデックス）、ｎｓは、Ａ−ＳＲＳを送信するスロット番号（スロットインデックス）を示している。
【０１２５】
ここで、例えば、図５において、周波数ホッピング周期を１０サブフレーム、ある基準のサブフレームとして、サブフレームｎ−８をフレームインデックス０のサブフレームインデックス０（ｎｆ＝０、ｎＳ＝１）のサブフレームとした場合、第１の送信指示に対するＡ−ＳＲＳ送信サブフレームｎ−４（ｎｆ＝０、ｎＳ＝９）はフレームインデックス０、サブフレームインデックス４（スロットインデックス９）のサブフレームとなる。また、第２の送信指示に対するＡ−ＳＲＳ送信サブフレームｎ−２（ｎｆ＝０、ｎＳ＝１３）はフレームインデックス０、サブフレームインデックス６（スロットインデックス１３）のサブフレームになる。すなわち、第１の送信指示に対するＡ−ＳＲＳ送信サブフレーム、第２の送信指示に対するＡ−ＳＲＳ送信サブフレームそれぞれに対するｎＳＲＳは、同一の値（ｎＳＲＳ＝０）となる。
【０１２６】
一方、例えば、第４の送信指示に対するＡ−ＳＲＳ送信サブフレームｎ＋４（ｎｆ＝１、ｎＳ＝５）はフレームインデックス１、サブフレームインデックス２（スロットインデックス５）のサブフレームであり、ｎＳＲＳは、第１の送信指示に対するＡ−ＳＲＳ送信サブフレーム、第２の送信指示に対するＡ−ＳＲＳ送信サブフレームそれぞれに対するｎＳＲＳ（ｎＳＲＳ＝０）とは、異なる値（ｎＳＲＳ＝１）となる。ここで、累積の周波数ホッピング回数とは、周波数ホッピングを行う場合、ＳＲＳ送信サブフレームに対して、何回目の周波数ホッピングかを示している。すなわち、連続したＳＲＳ送信サブフレーム（またはＳＲＳ送信可能サブフレーム）で、累積の周波数ホッピング回数が同じ値を示す場合、連続したＳＲＳ送信サブフレーム間で周波数ホッピングを行っていない、すなわち、同一の周波数ポジション（周波数帯域、候補リソースおよび送信リソース）でＳＲＳが割り当てられていることを示している。
【０１２７】
ここで、移動局装置によって（基地局装置によって設定された周波数ホッピング周期を１つのパラメータとして）算出されるｎＳＲＳ（ｎＳＲＳの値）が、ＳＲＳ送信可能サブフレーム間で同一である場合には、移動局装置が、同一の周波数ポジションでＡ−ＳＲＳを送信可能であることを示している。すなわち、基地局装置は、周波数ホッピング周期を設定することによって、移動局装置に対して、ＳＲＳ送信可能サブフレーム間において、同一の周波数ポジションでのＡ−ＳＲＳの送信を指示することができる（移動局装置が、Ａ−ＳＲＳ送信を送信する際の周波数ポジションを同一の周波数ポジションに割り当てることができる）。
【０１２８】
一方、移動局装置によって（基地局装置によって設定された周波数ホッピング周期をパラメータの１つとして）算出されるｎＳＲＳ（ｎＳＲＳの値）が、ＳＲＳ送信可能サブフレーム間で異なる場合には、移動局装置が、異なる周波数ポジションでＡ−ＳＲＳを送信可能であることを示している。すなわち、この場合には、移動局装置が、周波数ホッピングを適用してＡ−ＳＲＳを送信することを示している。すなわち、基地局装置は、周波数ホッピング周期を設定することによって、移動局装置に対して、ＳＲＳ送信可能サブフレーム間において、異なる周波数ポジションでのＡ−ＳＲＳの送信を指示することができる（移動局装置が、Ａ−ＳＲＳ送信を送信する際の周波数ポジションを異なる周波数ポジションに割り当てることができる）。また、基地局装置は、周波数ホッピング周期を設定することによって、移動局装置に対して、周波数ホッピングを適用したＡ−ＳＲＳの送信を指示することができる。
【０１２９】
ここで、移動局装置によって算出されるｎＳＲＳ（ｎＳＲＳの値）が、ＳＲＳ送信可能サブフレーム間で異なる場合においても、移動局装置は、同一の周波数ポジションでＡ−ＳＲＳを送信しても良い。例えば、移動局装置は、４回のＡ−ＳＲＳの送信によって所望のホッピング帯域幅（周波数帯域幅）をカバーした場合には、５回目のＡ−ＳＲＳの送信において、１回目のＡ−ＳＲＳの送信と同一の周波数ポジションでＡ−ＳＲＳを送信することができる。
【０１３０】
図５において、基地局装置は、周波数ホッピング周期として１０ｍｓ（１０サブフレーム）を、移動局装置に対して設定している。また、基地局装置は、ＳＲＳ送信可能サブフレームとしてサブフレーム周期２ｍｓ（２サブフレーム）を、移動局装置に対して設定している。また、基地局装置は、サブフレームオフセットとしてオフセット値０を、移動局装置に対して設定している。
【０１３１】
移動局装置は、基地局装置によって設定された周波数ホッピング周期とＳＲＳ送信可能サブフレームとサブフレームオフセットに従って、Ａ−ＳＲＳを送信する。例えば、移動局装置は、基地局装置によって設定された周波数ホッピング周期に従って、１０ｍｓ毎に周波数ホッピングを適用して、Ａ−ＳＲＳを送信する。
【０１３２】
上記で示したように、移動局装置は、基地局装置によって設定された周波数ホッピング周期をパラメータの１つとして、数式１に基づいて算出した周波数ポジションでＡ−ＳＲＳを送信する。ここで、基地局装置は、周波数ホッピング周期とＳＲＳ送信可能サブフレームとサブフレームオフセットを設定することによって、移動局装置に対して、同一の周波数ポジションでＡ−ＳＲＳを送信させることができる。
【０１３３】
例えば、図５に示すように、基地局装置は、周波数ホッピング周期として、ＳＲＳ送信可能サブフレームよりも長い周期の周波数ホッピング周期を設定することによって、移動局装置に対して、ＳＲＳサブフレーム間において同一の周波数ポジションでのＡ−ＳＲＳの送信を指示することができる。図５において、基地局装置は、ＳＲＳ送信可能サブフレーム（２ｍｓ（２サブフレーム））よりも長い周期の周波数ホッピング周期（１０ｍｓ（１０サブフレーム））を設定することによって、移動局装置に対して、ＳＲＳサブフレーム間において同一の周波数ポジションでのＡ−ＳＲＳの送信を指示している。
【０１３４】
ここで、図５において、基地局装置が、ＳＲＳ送信可能サブフレームとして、周波数ホッピング周期よりも短い周期のＳＲＳ送信可能サブフレームを設定することによって、同様の効果が得られることは勿論である。
【０１３５】
図５において、基地局装置は、周波数ホッピング周期として、ＳＲＳ送信可能サブフレームよりも短い周期の周波数ホッピング周期を設定した場合には、ＳＲＳ送信可能サブフレームの周期を基にｎＳＲＳを算出することによって、移動局装置に対して、ＳＲＳ送信可能サブフレーム間において異なる周波数ポジションでのＡ−ＳＲＳの送信を指示することができる。すなわち、移動局装置は、Ａ−ＳＲＳ送信サブフレームに対する累積の周波数ホッピング回数（累積のＡ−ＳＲＳサブフレーム数）を、数式２を用いて算出することができる。
【０１３６】
【数２】
2012100213.tif 000004
【０１３７】
ここで、図５において、基地局装置が、ＳＲＳ送信可能サブフレームとして、周波数ホッピング周期よりも長い周期のＳＲＳ送信可能サブフレームを設定することによって、同様の効果が得られることは勿論である。
【０１３８】
図５において、サブフレームｎ−１０で基地局装置から第１の送信指示を含むＤＣＩフォーマットを受信した移動局装置は、サブフレームｎ−６でＡ−ＳＲＳを送信する。同様に、サブフレームｎ−６で基地局装置から第２の送信指示を含むＤＣＩフォーマットを受信した移動局装置は、サブフレームｎ−２でＡ−ＳＲＳを送信する。
【０１３９】
この際、移動局装置は、数式１に基づいて算出した周波数ポジションでＡ−ＳＲＳを送信する。例えば、図５では、移動局装置は、第１の送信指示に対してＡ−ＳＲＳを送信する際と、第２の送信指示に対してＡ−ＳＲＳを送信する際に、同一の周波数ポジション（同一の候補リソースでも良い）でＡ−ＳＲＳを送信する。
【０１４０】
さらに、サブフレームｎ−４で基地局装置から第３の送信指示を含むＤＣＩフォーマットを受信した移動局装置は、サブフレームｎでＡ−ＳＲＳを送信する。この際、移動局装置は、数式１に基づいて算出した周波数ポジションでＡ−ＳＲＳを送信する。例えば、図５では、移動局装置は、第２の送信指示に対してＡ−ＳＲＳを送信する際と、第３の送信指示に対してＡ−ＳＲＳを送信する際に、異なる周波数ポジション（異なる候補リソースでも良い）でＡ−ＳＲＳを送信する。
【０１４１】
上記までに説明してきた第１の実施形態は、移動局装置が、マルチショットＡ−ＳＲＳを送信する際にも適用できる。すなわち、基地局装置は、移動局装置に対して、マルチショットＡ−ＳＲＳの送信を指示するとともに、周波数ホッピング周期を設定することができる。
【０１４２】
図６は、移動局装置が、マルチショットＡ−ＳＲＳを送信する際に、基地局装置によって周波数ホッピング周期が設定された場合の動作の一例を示す図である。図６は、図５と同様の図を示している。ここで、マルチショットＡ−ＳＲＳ送信とは、移動局装置が、基地局装置からの１回のＡ−ＳＲＳ送信指示に従って、所定の回数（または、所定の満了時間）に達するまでＳＲＳを送信することである。例えば、基地局装置は、所定の回数（または、所定の満了時間）を、ＲＲＣシグナリングを使用して移動局装置に対して設定することができる。
【０１４３】
図６において、移動局装置は、基地局装置からのＡ−ＳＲＳの送信指示に従って、数式１に基づいて算出される周波数ポジションで、マルチショットＳＲＳを送信することができる。基地局装置は、周波数ホッピング周期を設定することによって、同一の周波数ポジションでの連続したＡ−ＳＲＳの送信を指示することができる。また、基地局装置は、周波数ホッピング周期を設定することによって、異なる周波数ポジションでの連続したＡ−ＳＲＳの送信を指示することができる。
【０１４４】
ここで、基地局装置は、移動局装置がマルチショットＡ−ＳＲＳを送信するための所定の回数（または、所定の満了時間）と周波数ホッピング周期を、移動局装置に対して、それぞれ独立に設定することができる。図６において、基地局装置は、所定の回数（または、所定の満了時間）として（送信回数）５回（または、満了時間８ｍｓ）を、移動局装置に対して、設定している。
【０１４５】
図６において、サブフレームｎ−１０で基地局装置から第１の送信指示を含むＤＣＩフォーマットを受信した移動局装置は、サブフレームｎ−６でＡ−ＳＲＳを送信し、さらに、基地局装置によって設定された所定の回数（５回）（または、所定の満了時間（８ｍｓ））に達するまで、ＳＲＳ送信可能サブフレームにおいてＡ−ＳＲＳを送信する。この際、移動局装置は、基地局装置によって設定された周波数ホッピング周期をパラメータの１つとして、数式１に基づいて算出された周波数ポジションでＡ−ＳＲＳを送信する。
【０１４６】
同様に、図６において、サブフレームｎ＋４で基地局装置から第２の送信指示を含むＤＣＩフォーマットを受信した移動局装置は、サブフレームｎ＋８でＡ−ＳＲＳを送信し、さらに、基地局装置によって設定された所定の回数（５回）（または、所定の満了時間（８ｍｓ））に達するまで、ＳＲＳ送信可能サブフレームにおいてＡ−ＳＲＳを送信する。この際、移動局装置は、基地局装置によって設定された周波数ホッピング周期をパラメータの１つとして、数式１に基づいて算出された周波数ポジションでＡ−ＳＲＳを送信する。
【０１４７】
上記までに説明したように、基地局装置が、Ａ−ＳＲＳ送信に対する周波数ホッピング周期を設定し、移動局装置が、基地局装置によって設定された周波数ホッピング周期をパラメータの１つとして、Ａ−ＳＲＳ送信の周波数ポジションを算出（決定）することによって、移動局装置から送信されるＡ−ＳＲＳを利用した基地局装置によるチャネル推定の精度を向上することができる。
【０１４８】
基地局装置は、周波数ホッピング周期を設定することによって、移動局装置による同一の周波数ポジションでのＡ−ＳＲＳ送信を指示することが可能となり、移動局装置から送信されるＡ−ＳＲＳを利用したチャネル推定の精度を向上することができる。
【０１４９】
また、基地局装置は、周波数ホッピング周期を設定することによって、移動局装置による異なる周波数ポジションでのＡ−ＳＲＳ送信を指示することが可能となり、移動局装置に対して、より柔軟な周波数ポジションでのＡ−ＳＲＳの送信を指示することが可能となる。
【０１５０】
結果として、基地局装置は、移動局装置に割り当てる変調符号化方式（MCS: Modulation and Coding Scheme）や複数の送信アンテナの位相制御を行うためのプレコーダ（Precoder）の推定精度を十分に高めることができる。
【０１５１】
また、移動局装置が、マルチショットＡ−ＳＲＳを送信する際に、数式１に基づいて周波数ポジションを算出することによって、周波数ホッピング周期とＡ−ＳＲＳを送信するサブフレームのみに関連するパラメータ（すなわち、Ａ−ＳＲＳを送信するフレーム番号（フレームインデックス）とＡ−ＳＲＳを送信するスロット番号（スロットインデックス））から、周波数ポジションを算出することができる。
【０１５２】
ここで、例えば、移動局装置が、ＳＲＳを送信する際に、ＳＲＳの累計の送信回数（現在、送信するＳＲＳは、何回目のＳＲＳ送信なのか）に依存して（基づいて）、周波数ポジションが算出（決定）される場合、基地局装置と移動局装置の間で、周波数ポジションの不一致が発生してしまう。例えば、ＳＲＳの送信と物理上りリンク制御チャネル（ＰＵＣＣＨ）の送信が同一サブフレームで発生した場合、移動局装置は、ＳＲＳの送信を停止する（ＳＲＳを送信しない）可能性がある。このような場合において、基地局装置と移動局装置の間で、ＳＲＳ送信に対する送信回数の不一致が生じる可能性があり、結果として、ＳＲＳの周波数ポジションの不一致が発生してしまう。
【０１５３】
さらに、基地局装置が意図していない周波数ポジションで、移動局装置がＳＲＳを送信することになり、複数の移動局装置間におけるＳＲＳ送信の衝突が多発し、基地局装置によるチャネル推定精度が劣化する。通常、基地局装置は、複数の移動局装置間におけるＳＲＳ送信の衝突を考慮して、ＳＲＳ送信に対する周波数ポジションを決定する。
【０１５４】
このように、移動局装置が、周波数ホッピング周期とＡ−ＳＲＳを送信するサブフレームのみに関連するパラメータから、数式１に基づいて周波数ポジションを算出することによって、基地局装置と移動局装置の間における周波数ポジションの不一致を回避することが可能となり（複数の移動局装置間におけるＳＲＳ送信の衝突を回避することが可能となり）、基地局装置によるチャネル推定精度を向上することが可能となる。
【０１５５】
また、移動局装置が、シングルショットＡ−ＳＲＳを送信する場合、基地局装置は、ＤＣＩフォーマットに含まれるＡ−ＳＲＳ送信指示を用いることによって、同一の周波数ポジションで、連続してＡ−ＳＲＳを送信させるか否かを柔軟に制御することができる。
【０１５６】
さらに、移動局装置が、マルチショットＡ−ＳＲＳを送信する場合、基地局装置は、同一の周波数ポジションに連続して配置するだけでなく、周波数ホッピングによって、異なる周波数ポジションに切り替わるまで送信するように制御することができる。また、１回の送信指示で複数のＳＲＳサブフレームのリソースを確保できるため、基地局装置によるＡ−ＳＲＳのリソース管理を簡単にすることができる。
【０１５７】
移動局装置が、基地局装置によって設定された周波数ホッピング周期を使用して、Ａ−ＳＲＳを割り当てる周波数帯域（リソース割り当て、候補リソースおよび送信リソース、周波数ポジション）を算出することによって、Ａ−ＳＲＳをインプリシットに同じ周波数帯域に割り当て、時間平均効果によるチャネル推定精度の向上を図る。また、Ａ−ＳＲＳを周波数ホッピングすることによって、異なる周波数帯域に割り当て、全ての帯域についてチャネル推定を行うことができ、基地局装置は、特性の良い周波数帯域を用いて、移動局装置と通信を行うことができる。
【０１５８】
（第２の実施形態）
次に、基地局装置１００および移動局装置２００を用いた移動通信システムにおける第２の実施形態を説明する。第２の実施形態では、基地局装置は、Ａ−ＳＲＳの周波数ホッピング周期とＡ−ＳＲＳサブフレームの周期およびサブフレームオフセットを含む無線リソース制御信号を移動局装置へ通知し、Ａ−ＳＲＳの送信指示を含んだＤＣＩフォーマットを移動局装置へ通知する。
【０１５９】
また、移動局装置は、無線リソース制御信号に従ってＡ−ＳＲＳの周波数ホッピング周期とＡ−ＳＲＳサブフレームおよびサブフレームオフセットを設定し、ＤＣＩフォーマットにＡ−ＳＲＳの送信指示が含まれている場合には、周波数ホッピング周期を基に算出されたＡ−ＳＲＳの周波数ポジションでＡ−ＳＲＳを送信する。
【０１６０】
図７は、移動局装置が、シングルショットＡ−ＳＲＳを送信する際に、基地局装置によって周波数ホッピング周期（周波数ホッピング用の送信周期）とＡ−ＳＲＳ固有の送信可能サブフレーム（Ａ−ＳＲＳサブフレームとも呼称する）が設定された場合の動作の一例を示す図である。図７において、横軸はサブフレーム（時間）、縦軸は周波数（ホッピング帯域幅（リソースブロック数））を示している。
【０１６１】
ここで、例えば、１サブフレームの時間長は１ｍｓであり、１０サブフレーム（１０ｍｓ）で１フレームとなる。また、１サブフレームは、２スロットによって構成され、１フレームは２０スロットで構成される。また、１フレームに含まれるサブフレームには、０から９までの番号（インデックス）が付与され、１フレームに含まれるスロットには、０から１９までの番号が付与される。
【０１６２】
さらに、図７において、基地局装置から移動局装置が通知される第１の送信指示、第２の送信指示、第３の送信指示、第４の送信指示は、Ａ−ＳＲＳの送信指示を示している。また、移動局装置は、基地局装置からＡ−ＳＲＳの送信指示を含むＤＣＩフォーマットを受信した後の、最初のＡ−ＳＲＳ固有の送信可能サブフレームでＡ−ＳＲＳを基地局装置へ送信する。ここで、図７において、下りリンクサブフレームと上りリンクサブフレームのインデックスは同じタイミングで送信されるものとみなす。
【０１６３】
図７において、ドットで示される領域は、基地局装置によって設定されたＡ−ＳＲＳ送信に対する候補リソースを概念的に示している。また、同様に、斜線で示される領域は、基地局装置によって設定されたＡ−ＳＲＳ送信に対する候補リソースを概念的に示している。図７において、移動局装置は、斜線で示されるリソースを使用して、Ａ−ＳＲＳを基地局装置へ送信している。
【０１６４】
例えば、基地局装置は、移動局装置が４回の周波数ホッピングを適用してＡ−ＳＲＳを送信することによって、ホッピング帯域幅（全ての周波数帯域幅）をカバーできるように設定することができる。
【０１６５】
Ａ−ＳＲＳサブフレームの周期およびサブフレームオフセットは、Ｐ−ＳＲＳの送信周期およびサブフレームオフセットと異なる値に設定できる。ここで、ＳＲＳ（Ａ−ＳＲＳ、Ｐ−ＳＲＳ）の送信周期およびサブフレームオフセットはテーブル管理されており、送信周期とサブフレームオフセットのセットはインデックス（サブフレームコンフィグレーションインデックス）で対応付けられている。すなわち、Ａ−ＳＲＳの送信可能サブフレームは、Ｐ−ＳＲＳが送信されるサブフレームとは異なるＳＲＳ送信可能サブフレームが設定され、Ａ−ＳＲＳとＰ−ＳＲＳで異なるサブフレームコンフィグレーションインデックスが割り当てられていることを示している。ここで、基地局装置は、Ａ−ＳＲＳのサブフレームコンフィグレーションインデックスと周波数ホッピング周期を、ＲＲＣシグナリングを使用して設定することができる。また、上記で示したように、基地局装置は、ＳＲＳ送信可能サブフレームを、報知情報を使用して、セル固有に設定することができる。また、基地局装置は、（Ａ−ＳＲＳ、Ｐ−ＳＲＳそれぞれの）ＳＲＳ送信可能サブフレームを、ＲＲＣシグナリングを使用して、移動局装置固有に設定することができる。さらに、基地局装置は、（Ａ−ＳＲＳ、Ｐ−ＳＲＳそれぞれの）サブフレームオフセットを、ＲＲＣシグナリングを使用して設定することができる。
【０１６６】
移動局装置は、基地局装置によって設定された周波数ホッピング周期とＡ−ＳＲＳサブフレームの周期とサブフレームオフセットに基づいて、Ａ−ＳＲＳを基地局装置へ送信する。
【０１６７】
ここで、基地局装置は、周波数ホッピング周期を設定することによって、移動局装置に対して、どの周波数ポジションでＡ−ＳＲＳを送信するのかを設定することができる。より具体的には、例えば、移動局装置は、基地局装置によって設定された周波数ホッピング周期をパラメータとして、下記の数式１に基づいて、Ａ−ＳＲＳ送信に対する周波数ポジションを算出（決定）することができる。
【０１６８】
Ａ−ＳＲＳサブフレームの周期が周波数ホッピング周期よりも短い周期で設定された場合には、移動局装置は、数式１を用いて、Ａ−ＳＲＳの周波数ポジションを算出する。
【０１６９】
図７において、基地局装置は、周波数ホッピング周期として１０ｍｓ（１０サブフレーム）を、移動局装置に対して設定している。また、基地局装置は、ＳＲＳ送信可能サブフレームとしてサブフレーム周期２ｍｓ（２サブフレーム）を、移動局装置に対して設定している。また、基地局装置は、サブフレームオフセットとしてオフセット値０を、移動局装置に対して設定している。
【０１７０】
移動局装置は、基地局装置によって設定された周波数ホッピング周期とＡ−ＳＲＳサブフレームとサブフレームオフセットに従って、Ａ−ＳＲＳを送信する。例えば、移動局装置は、基地局装置によって設定された周波数ホッピング周期に従って、１０ｍｓ毎に周波数ホッピングを適用して、Ａ−ＳＲＳを送信する。
【０１７１】
上記で示したように、移動局装置は、基地局装置によって設定された周波数ホッピング周期をパラメータの１つとして、数式１に基づいて算出した周波数ポジションでＡ−ＳＲＳを送信する。ここで、基地局装置は、周波数ホッピング周期とＡ−ＳＲＳサブフレームとサブフレームオフセットを設定することによって、移動局装置に対して、同一の周波数ポジションでＡ−ＳＲＳを送信させることができる。
【０１７２】
例えば、図７に示すように、基地局装置は、周波数ホッピング周期として、Ａ−ＳＲＳサブフレームよりも長い周期の周波数ホッピング周期を設定することによって、移動局装置に対して、Ａ−ＳＲＳサブフレーム間において同一の周波数ポジションでのＡ−ＳＲＳの送信を指示することができる。図７において、基地局装置は、Ａ−ＳＲＳサブフレーム（５ｍｓ（５サブフレーム））よりも長い周期の周波数ホッピング周期（１０ｍｓ（１０サブフレーム））を設定することによって、移動局装置に対して、Ａ−ＳＲＳサブフレーム間において同一の周波数ポジションでのＡ−ＳＲＳの送信を指示している。
【０１７３】
ここで、図７において、基地局装置が、Ａ−ＳＲＳサブフレームとして、周波数ホッピング周期よりも短い周期のＡ−ＳＲＳサブフレームを設定することによって、同様の効果が得られることは勿論である。
【０１７４】
図７において、基地局装置は、周波数ホッピング周期として、Ａ−ＳＲＳサブフレームよりも短い周期の周波数ホッピング周期を設定した場合には、Ａ−ＳＲＳサブフレームの周期ＴＡｐＳＲＳを基にｎＳＲＳを算出することによって、移動局装置に対して、Ａ−ＳＲＳサブフレーム間において異なる周波数ポジションでのＡ−ＳＲＳの送信を指示することができる。すなわち、移動局装置は、Ａ−ＳＲＳサブフレームに対する累積の周波数ホッピング回数（累積のＡ−ＳＲＳサブフレーム数）を、数式３を用いて算出することができる。
【０１７５】
【数３】
2012100213.tif 000005
【０１７６】
ここで、図７において、基地局装置が、ＳＲＳ送信可能サブフレームとして、周波数ホッピング周期よりも長い周期のＳＲＳ送信可能サブフレームを設定することによって、同様の効果が得られることは勿論である。
【０１７７】
図７において、サブフレームｎ−１０で基地局装置から第１の送信指示を含むＤＣＩフォーマットを受信した移動局装置は、サブフレームｎ−６でＡ−ＳＲＳを送信する。同様に、サブフレームｎ−４で基地局装置から第２の送信指示を含むＤＣＩフォーマットを受信した移動局装置は、サブフレームｎでＡ−ＳＲＳを送信する。
【０１７８】
この際、移動局装置は、数式１に基づいて算出した周波数ポジションでＡ−ＳＲＳを送信する。例えば、図７では、移動局装置は、第１の送信指示に対してＡ−ＳＲＳを送信する際と、第２の送信指示に対してＡ−ＳＲＳを送信する際に、異なる周波数ポジション（異なる候補リソースでも良い）でＡ−ＳＲＳを送信する。
【０１７９】
さらに、サブフレームｎ−１で基地局装置から第３の送信指示を含むＤＣＩフォーマットを受信した移動局装置は、サブフレームｎ＋５でＡ−ＳＲＳを送信する。この際、移動局装置は、数式１に基づいて算出した周波数ポジションでＡ−ＳＲＳを送信する。例えば、図７では、移動局装置は、第２の送信指示に対してＡ−ＳＲＳを送信する際と、第３の送信指示に対してＡ−ＳＲＳを送信する際に、同一の周波数ポジション（同一の候補リソースでも良い）でＡ−ＳＲＳを送信する。
【０１８０】
上記までに説明してきた第１の実施形態は、移動局装置が、マルチショットＡ−ＳＲＳを送信する際にも適用できる。すなわち、基地局装置は、移動局装置に対して、マルチショットＡ−ＳＲＳの送信を指示するとともに、周波数ホッピング周期を設定することができる。
【０１８１】
本実施形態では、Ａ−ＳＲＳサブフレームの周期ではなく、周波数ホッピング周期を用いて、周波数ポジションを算出することで、同一周波数ポジションのＡ−ＳＲＳを連続して割り当てることができ、時間平均効果が得られる。また、周波数ホッピングを行うことで、周波数ダイバーシチ効果が得られ、チャネル推定精度を改善する。さらに、Ａ−ＳＲＳサブフレームとサブフレームオフセットを定義することにより、Ａ−ＳＲＳとＰ−ＳＲＳの時間分割多重（TDM: Time Domain Multiplexing）を容易にし、送信タイミングをずらすことで、異なるＳＲＳ帯域幅を有する移動局装置から送信されるＡ−ＳＲＳの衝突による直交崩れを回避でき、よりフレキシブルなＡ−ＳＲＳのリソース割り当てを可能にする。また、基地局装置は、Ａ−ＳＲＳとＰ−ＳＲＳのリソース管理を分離できるため、Ａ−ＳＲＳとＰ−ＳＲＳが同じタイミングで送信されることを回避することができ、チャネル推定精度を改善できる。
【０１８２】
以上説明した実施形態は、基地局装置および移動局装置に搭載される集積回路／チップセットにも適用される。また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。
【０１８３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０１８４】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１８５】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
2012100213.tif 000006
【図２】
2012100213.tif 000007
【図３】
2012100213.tif 000008
【図４】
2012100213.tif 000009
【図５】
2012100213.tif 000010
【図６】
2012100213.tif 000011
【図７】
2012100213.tif 000012
【図８】
2012100213.tif 000013